(57)【要約】  【課題】  表示中の映像に対して行なう拡大処理に係る情報を外部から受け付け、受け付けた情報が示す拡大領域及び／又は拡大率に基づいて前記映像に拡大処理を行なう映像処理装置を提供する。  【解決手段】  映像処理装置１は、ＨＤＤ２０に記録してある映像信号を表示機器２で再生している状態で、ユーザによってズームキー３０が操作された場合、再生中の映像に対する拡大処理の実行指示を受け付ける。制御部１０は、実行指示を受け付けた拡大処理における拡大領域及び拡大率の入力を順次促す表示画面を表示機器２に表示させ、ユーザによってリモコン装置３の各キーが操作されることにより拡大領域及び拡大率の入力を受け付ける。制御部１０は、ユーザから入力された拡大領域及び拡大率に基づいて、ＨＤＤ２０から読み出した映像信号に対して拡大処理回路２２によって拡大処理を実行し、生成された映像信号を出力部２４から送出して表示機器２に表示する。【選択図】      図１
2006113400.tif 000002
【特許請求の範囲】
【請求項１】
映像に拡大処理を行なう拡大手段と、該拡大手段が拡大処理を行なった映像の表示に係る処理を行なう表示処理手段とを備える映像処理装置において、
前記表示処理手段が表示に係る処理を実行中の映像に対して、拡大領域及び拡大率の少なくともひとつを含む拡大処理に係る情報を受け付ける受付手段を備え、
前記拡大手段は、前記受付手段が受け付けた拡大処理に係る情報に基づいて、前記映像に拡大処理を行なうように構成してあることを特徴とする映像処理装置。
【請求項２】
複数の操作スイッチと、
各操作スイッチのそれぞれに、拡大処理に係る情報を対応させて記憶する記憶手段とを備え、
前記受付手段は、前記操作スイッチのいずれかが操作された場合に、操作された操作スイッチに対応する拡大処理に係る情報を前記記憶手段から読み出すように構成してあることを特徴とする請求項１に記載の映像処理装置。
【請求項３】
前記操作スイッチのそれぞれに対応して拡大処理に係る情報を受け付ける情報受付手段を備え、
前記記憶手段は、前記情報受付手段が受け付けた操作スイッチ及び拡大処理に係る情報を対応させて記憶する構成としてあることを特徴とする請求項２に記載の映像処理装置。
【発明の詳細な説明】
【技術分野】
【０００１】
本発明は、映像に拡大処理を行なった上で、自身の装置が備える表示部での表示又は自身の装置に接続された表示装置での表示を行なう映像処理装置に関する。
【背景技術】
【０００２】
受信したテレビジョン放送信号に基づく映像を表示するテレビジョン装置、受信したテレビジョン放送信号を記録媒体に記録し、記録してあるテレビジョン放送信号に基づく映像を接続されたテレビジョン装置で必要に応じて再生する記録再生装置等の各種電気機器が普及している。記録再生装置としては、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクレコーダが実用化されている。
【０００３】
上述したようなテレビジョン装置及び記録再生装置には、ズーム機能を備えた装置がある。具体的には、これらの装置は、例えばズームキーを有しており、自身のテレビジョン装置又は接続されたテレビジョン装置でテレビジョン放送信号に基づく映像を表示している際に、ユーザによってズームキーが１回操作されると、表示画像の中央を中心として拡大処理を行ない、拡大した映像を表示する。また、上述した装置は、ユーザによって再度ズームキーが操作された場合、同様にして表示画像の中央を中心として更に拡大処理を行ない、拡大した映像を表示する（例えば、特許文献１参照）。
【０００４】
これにより、テレビジョン装置で表示されるテレビジョン放送信号に基づく映像を、例えば、２倍、４倍等に拡大表示することができる。また、表示画像中の拡大処理を行なう領域を指定できる装置も提案されており、テレビジョン装置に表示された表示画像の任意の一部を拡大表示することができる。
【特許文献１】特開２０００−２２４５４６号公報
【発明の開示】
【発明が解決しようとする課題】
【０００５】
しかし、上述したような装置は、ユーザがズームキーを１回操作する都度、所定倍率の拡大処理を行なうように構成してあり、例えば所定倍率が２倍に設定してある装置においては、ズームキーの１回目の操作によって２倍の拡大処理を、ズームキーの２回目の操作によって更に２倍、即ち４倍の拡大処理を、ズームキーの３回目の操作によって更に２倍、即ち８倍の拡大処理を行なうように構成してある。従って、ユーザは所望の倍率を指定するためにズームキーを複数回操作する必要があり、ユーザによるキー操作が煩雑であるという問題がある。
【０００６】
また、表示画像中の拡大処理を行なう領域を指定できる装置は、ユーザがカーソルキーを操作することにより、拡大処理を行なう領域の中心位置を指定できるように構成してあるが、表示画像を水平方向及び垂直方向のそれぞれにおいて例えば１００分割してあり、所望の中心位置を特定するためには、カーソルキーを複数回反復して又は連続的に操作する必要があり、ユーザによる操作負担が増大する。
【０００７】
本発明は斯かる事情に鑑みてなされたものであり、その目的とするところは、表示中の映像に対して行なうべき拡大処理について、拡大領域及び拡大率の少なくともひとつを含む情報を外部から受け付けることが可能であり、受け付けた情報に基づいて前記映像に拡大処理を行なった上で表示に係る処理を行なう映像処理装置を提供することにある。
【０００８】
本発明の他の目的は、表示中の映像に対して行なうべき拡大処理に係る情報を複数の操作スイッチのそれぞれに対応させて登録しておくことにより、各操作スイッチを操作することによって拡大処理に係る情報を指定することが可能であり、指定された情報に基づく拡大処理を行なった上で表示に係る処理を行なう映像処理装置を提供することにある。
【課題を解決するための手段】
【０００９】
本発明に係る映像処理装置は、映像に拡大処理を行なう拡大手段と、該拡大手段が拡大処理を行なった映像の表示に係る処理を行なう表示処理手段とを備える映像処理装置において、前記表示処理手段が表示に係る処理を実行中の映像に対して、拡大領域及び拡大率の少なくともひとつを含む拡大処理に係る情報を受け付ける受付手段を備え、前記拡大手段は、前記受付手段が受け付けた拡大処理に係る情報に基づいて、前記映像に拡大処理を行なうように構成してあることを特徴とする。
【００１０】
本発明によれば、映像に拡大処理を行ない、拡大された映像の表示に係る処理を行なう映像処理装置が、表示に係る処理を実行中の映像に対して、拡大領域及び拡大率の少なくともひとつを含む拡大処理に係る情報を受け付けるように構成してあり、受け付けた拡大処理に係る情報が示す拡大領域及び／又は拡大率に基づいて前記映像に拡大処理を行なった上で表示に係る処理を行なう。よって、表示に係る処理中の映像に対して行なうべき拡大処理に係る情報を受け付けることが可能となり、受け付けた情報に基づく拡大処理が行なわれた映像の表示に係る処理を行なうことが可能となる。
【００１１】
本発明に係る映像処理装置は、複数の操作スイッチと、各操作スイッチのそれぞれに、拡大処理に係る情報を対応させて記憶する記憶手段とを備え、前記受付手段は、前記操作スイッチのいずれかが操作された場合に、操作された操作スイッチに対応する拡大処理に係る情報を前記記憶手段から読み出すように構成してあることを特徴とする。
【００１２】
本発明によれば、複数の操作スイッチを備え、各操作スイッチのそれぞれに、拡大処理に係る情報を対応させて記憶手段に記憶しておき、前記操作スイッチのいずれかが操作された場合に、操作された操作スイッチに対応する拡大処理に係る情報を前記記憶手段から読み出す。よって、表示に係る処理中の映像に対して行なうべき拡大処理に係る情報を操作スイッチの操作によって指定することが可能となる。
【００１３】
本発明に係る映像処理装置は、前記操作スイッチのそれぞれに対応して拡大処理に係る情報を受け付ける情報受付手段を備え、前記記憶手段は、前記情報受付手段が受け付けた操作スイッチ及び拡大処理に係る情報を対応させて記憶する構成としてあることを特徴とする。
【００１４】
本発明によれば、複数の操作スイッチのそれぞれに対応して拡大処理に係る情報を外部から受け付け、受け付けた操作スイッチ及び拡大処理に係る情報を対応させて記憶しておくことにより、外部から受け付けた拡大処理に係る情報をそれぞれ対応する操作スイッチに登録しておくことが可能となる。
【発明の効果】
【００１５】
本発明では、拡大処理を行なった映像の表示に係る処理を行なう映像処理装置が、表示に係る処理中の映像に対して行なうべき拡大処理に係る拡大領域及び／又は拡大率を受け付けた場合に、受け付けた拡大領域及び／又は拡大率に基づいて前記映像に拡大処理を行ない、拡大した映像の表示に係る処理を行なう。よって、自身の表示装置又は接続された表示装置において表示中の映像に対して拡大処理を行なって拡大表示することができると共に、拡大処理における拡大領域及び拡大率等の条件を外部から取得することができる。また、ユーザは、所望する拡大領域及び／又は拡大率をダイレクトに指定することができ、ユーザによるキー操作負担を軽減することができる。
【００１６】
本発明では、複数の操作スイッチを備え、各操作スイッチのそれぞれに、拡大処理に係る情報を対応させて記憶手段に記憶しておき、前記操作スイッチのいずれかが操作された場合に、操作された操作スイッチに対応する拡大処理に係る情報を前記記憶手段から読み出し、読み出した情報に基づく拡大処理を行なう。これにより、ユーザは、拡大処理に係る情報を指定するために、いずれかの操作スイッチを操作すればよく、ユーザによるキー操作負担をより軽減することができる。
【００１７】
本発明では、複数の操作スイッチのそれぞれに対応して拡大処理に係る情報を外部から受け付け、受け付けた拡大処理に係る情報をそれぞれ対応する操作スイッチに登録しておくことができるので、各操作スイッチに対応して実行される拡大処理に係る情報をユーザによって任意に登録することができる。
【発明を実施するための最良の形態】
【００１８】
以下に、本発明に係る映像処理装置をその実施形態を示す図面に基づいて詳述する。
（実施形態１）
図１は本発明に係る映像処理装置の構成例を示すブロック図である。なお、本実施形態の映像処理装置１は、例えば、受信したテレビジョン放送信号（以下、映像信号という）を記録媒体に記録し、必要に応じて接続されたテレビジョン装置で再生する記録再生装置であり、記録媒体にハードディスク装置（以下、ＨＤＤという）を用いている。また、図１において映像信号の流れを破線で示す。
【００１９】
本実施形態の映像処理装置１は、自身の遠隔操作が可能なリモートコントロール入力装置（以下、リモコン装置という）３と赤外線を利用したＩｒＤＡ（Infrared Data Association）規格に従う無線通信が可能に構成されている。なお、映像処理装置１とリモコン装置３とを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。
【００２０】
リモコン装置３は、映像処理装置１をユーザが遠隔操作するために必要な各種のファンクションキーを備えており、ユーザが各キーを操作した場合、操作されたキーに対応したパルス配列の赤外線信号を映像処理装置１へ送信する。リモコン装置３のファンクションキーには、例えばズームキー３０、メニューキー３１、１〜１２の数字キー３２、十字キーからなるカーソルキー３３等がある。
【００２１】
また、リモコン装置３には、映像処理装置１による映像信号の記録（記憶）を開始する録画ボタン、映像処理装置１に記録してある映像信号の再生を開始する再生ボタン、映像処理装置１による記録処理・再生処理を停止させる停止ボタン、及び決定ボタン等も設けられている。
【００２２】
映像処理装置１は、ＣＰＵ又はＭＰＵ等で構成された制御部１０を備えている。制御部１０はシステムバス１ａを介して、ＲＯＭ１１、ＲＡＭ１２、チューナ１３、選択部１５、操作部１６、表示部１７、タイマ１８、記録処理部１９、ＨＤＤ２０、再生処理部２１、拡大処理回路２２、リモコンコード解析部２３、出力部２４等と接続されており、これら各部を制御すると共に、ＲＯＭ１１に格納されている制御プログラムに従って種々の機能を実行する。
【００２３】
ＲＯＭ１１には、映像処理装置１を本発明に係る映像処理装置として動作させるために必要な種々の制御プログラム、ＯＳＤ（On Screen Display ）表示用データ及び各種のメニュー画像データ等が予め格納されている。ＲＡＭ１２はＳＲＡＭ又はフラッシュメモリ等で構成されており、制御部１０による制御プログラムの実行時に発生するデータを一時的に記憶する。
【００２４】
チューナ１３は、例えば放送中継基地１３ｂの方向に向けて配置されたアンテナ１３ａに接続されており、放送中継基地１３ｂから送信された映像信号のうちの特定周波数帯域の映像信号を選択して復調する機能を有する。現在、広く利用されている地上波の周波数帯域は、ＶＨＦ帯の低域（９０Ｍ〜１０８ＭＨｚ）、ＶＨＦ帯の高域（１７０Ｍ〜２２２ＭＨｚ）、ＵＨＦ帯（４７０Ｍ〜７７０ＭＨｚ）であり、この周波数帯域から、ユーザによって指定された１チャンネルの映像信号を選択して選択部１５へ転送する。もちろん、衛星放送、ケーブルテレビ放送等に対応したチューナであってもよい。
【００２５】
選択部１５は、上述したチューナ１３及び外部入力部１４に接続されている。外部入力部１４には、例えばビデオ、ＤＶＤ等の再生機器又は外部チューナ（以下、代表して外部チューナ１４ａという）が接続されており、外部チューナ１４ａから入力された映像信号を選択部１５へ転送する。選択部１５は、チューナ１３又は外部入力部１４から転送された映像信号のうちの一方を選択する機能を有し、選択した映像信号を記録処理部１９又は出力部２４へ更に転送する。
【００２６】
操作部１６は、ユーザが映像処理装置１を操作するために必要な各種のファンクションキーを備えており、ユーザにより各キーが操作された場合、操作されたキーに対応した制御信号を制御部１０へ送出し、制御部１０は取得した制御信号に対応した処理を実行する。表示部１７は、液晶モニタ又はＬＥＤモニタ等の表示デバイスで構成されており、映像処理装置１の動作状態、操作部１６及びリモコン装置３を通じて入力された各種の情報等の表示を行う。
【００２７】
なお、ＲＯＭ１１にはＯＳＤ表示用データが記憶されており、このＯＳＤ表示用データを出力部２４から出力することにより、上述したような各種情報を表示機器２で表示させることもできる。また、表示部１７をタッチパネル方式とすることにより、操作部１６の各種のファンクションキーのうちの一部又は全部を代用することも可能である。
【００２８】
タイマ１８は、現在日時を示す時計手段であり、要求に応じて現在日時を制御部１０又は記録処理部１９等へ通知する機能を有し、主としてタイマ予約による映像信号の記録に利用される。リモコンコード解析部２３は、リモコン装置３からの赤外線信号を受信して所定の電気信号に変換し、得られた電気信号を解析してリモコン装置３から入力された制御信号を取得する。また、リモコンコード解析部２３が取得した制御信号を制御部１０へ送出することにより、制御部１０が、リモコンコード解析部２３から取得した制御信号に応じた処理を実行することができる。
【００２９】
記録処理部１９は、エンコーダを有しており、選択部１５から転送されてきた映像信号をエンコーダにより所定形式の映像信号に符号化圧縮してＨＤＤ２０へ出力する。エンコード形式としては、例えばＭＰＥＧ形式、ＤＶ圧縮形式、モーションＪＰＥＧ形式等があり、その映像圧縮規格については限定されるものではない。もちろん、外部入力部１４から入力された映像信号が予め符号化圧縮された信号である場合には、エンコーダをスルーさせることは言うまでもない。
【００３０】
ＨＤＤ２０は、記録処理部１９により符号化圧縮された映像信号をそれぞれファイル単位で記憶するＨＤ（図示せず）を内蔵しており、記録処理部１９及び再生処理部２１に接続されている。また、ＨＤＤ２０は、ＨＤに記録された映像信号毎に、記録した映像信号の放送チャンネル、記録開始日時を示す開始日時、記録終了日時を示す終了日時、開始日時から終了日時までの録画時間、及び映像信号のＨＤにおける記録領域等が登録された録画番組データベース（図示せず）を記憶している。なお、録画番組データベースは、制御部１０による制御に従って記録処理部１９が映像信号の録画処理を開始した場合に、制御部１０によって更新される。
【００３１】
なお、ＨＤＤ２０に記憶される映像信号としては、チューナ１３が出力する番組信号のみならず、外部入力部１４から入力される外部チューナ１４ａが出力した番組信号又は映像信号であってもよい。
【００３２】
再生処理部２１は、デコーダを有しており、ＨＤＤ２０に記憶されている符号化圧縮された映像信号を読み出してデコーダにより復号化伸長し、生成されたデジタルの映像信号を拡大処理回路２２へ出力する。なお、ＨＤＤ２０は、ランダムアクセスが可能であるため、記録処理部１９と再生処理部２１とはそれぞれ独立してＨＤＤ２０にアクセスし、映像信号の記録処理と再生処理とを同時に行なうことができる。
【００３３】
拡大処理回路２２は、再生処理部２１によってＨＤＤ２０から読み出されて復号化伸長された映像信号に対して拡大処理を行ない、出力部２４へ転送する。なお、拡大処理とは、例えば指定された拡大領域内の各画素を指定された拡大率に対応する位置に配置すると共に、各画素間に補間画素を追加する処理があるが、これに限定されない。
【００３４】
また、拡大処理回路２２にはメモリ２２ａが接続されており、拡大処理の際のバッファとして利用され、拡大処理中に発生する各種のデータ、及び拡大された映像信号等をメモリ２２ａが記憶する。再生処理部２１によってＨＤＤ２０から読み出されて復号化伸長された映像信号に対して拡大処理を行なわずに表示機器２で表示させる場合、拡大処理回路２２は、制御部１０からの制御に従って、再生処理部２１から転送されてきた映像信号に拡大処理を行なわずに（スルーさせて）出力部２４へ転送する。
【００３５】
出力部（表示処理手段）２４は、映像ケーブル及び音声ケーブル（ともに図示せず）を介して、液晶ディスプレイ又はＣＲＴディスプレイ等の表示機器２に接続されており、選択部１５又は拡大処理回路２２から転送されてきた映像信号の表示に係る処理を行ない、取得した映像信号に基づく映像を表示機器２に表示させる。また、出力部２４は、ＲＯＭ１１に記憶してあるＯＳＤ表示用データを制御部１０からの指示に従って読み出し、読み出したＯＳＤ表示用データに基づくＯＳＤ画像を表示機器２に表示させる。
【００３６】
上述した構成の映像処理装置１は、ＨＤＤ２０に記憶してある映像信号を出力部２４から出力し、表示機器２で表示している場合に、表示画面の一部を拡大して表示させることが可能に構成されている。以下に、映像処理装置１による映像信号の再生処理及び拡大処理について説明する。ＨＤＤ２０に記録してある映像信号を再生する場合、ユーザは、操作部１６の所定の操作ボタン又はリモコン装置３の所定の操作ボタンを操作する。
【００３７】
操作部１６の所定の操作ボタン又はリモコン装置３の所定の操作ボタンを操作された映像処理装置１において、制御部１０は、ＨＤＤ２０に記憶してある録画番組データベースの登録内容に基づいて、図２（ａ）に示すように、ＨＤＤ２０に記録してある各映像信号についての記録情報を表示した録画リストを作成して表示部１７又は表示機器２に表示させる。なお、以下の説明では、各種情報を表示機器２に表示させるものとする。
【００３８】
図２（ａ）に示す録画リストは、ＨＤＤ２０に記録してある各映像信号について、放送チャンネル、記録開始日時、記録終了日時、録画時間及び録画した際の録画モードを表示する。ユーザは、リモコン装置３のカーソルキー３３の上下キーを操作することにより、録画リスト中の所望の映像信号を選択することができ、再生ボタンを操作することにより、選択した映像信号の再生処理の実行を指示することができる。従って、この録画リストにおいて、所望の映像信号が選択されて再生ボタンが操作された場合、制御部１０は、再生処理部２１によってＨＤＤ２０から対応する映像信号を読み出して復号化伸長した後、拡大処理回路２２へ出力する。
【００３９】
なお、本実施形態では、ＨＤＤ２０に記憶してある映像信号の再生処理が開始された直後においては、再生させる映像信号に拡大処理を行なわないものとするので、拡大処理回路２２は、再生処理部２１から入力されてくる映像信号に拡大処理を行なわずに出力部２４へ転送する。これにより、出力部２４から表示機器２へ送出された映像信号に基づいて、表示機器２は、図２（ｂ）に示すような映像を表示させる。
【００４０】
このように、ＨＤＤ２０から読み出された映像信号が表示機器２で表示されている場合に、操作部１６又はリモコンコード解析部２３は、表示中の映像信号に対して拡大処理の実行指示を受け付けるか否かを監視する。具体的には、リモコンコード解析部２３が、リモコン装置３のズームキー３０が操作されたか否かを監視しており、ズームキー３０が操作された場合、表示中の映像信号に対して行なうべき拡大処理に係る情報を受け付ける受付手段として動作する。
【００４１】
従って、リモコン装置３のズームキー３０が操作された場合、制御部１０は、図２（ｂ）に示すような映像信号の表示機器２による表示を行なうと共に、ＲＯＭ１１から対応するＯＳＤ表示用データを読み出して表示機器２へ送出する。これにより、表示機器２は、図３（ａ）に示すように、映像処理装置１から取得する映像信号に基づく映像に、拡大領域（拡大処理に係る情報）の指示を促すＯＳＤ画面を重畳させて表示させる。
【００４２】
本実施形態では、図３（ａ）中のＯＳＤ画面が示すように、リモコン装置３の数字キー３２の１〜９のキーのそれぞれに、表示画面中の左上、中央上、右上、左中央、中央、右中央、左下、中央下、右下が割り当てられており、ユーザが１〜９のいずれかのキーを操作することにより対応する領域を拡大領域として指定することができる。
【００４３】
なお、拡大率を２倍とした拡大処理を行なう場合に拡大領域を指定する１〜９の各キーに対応する領域を図４に示す。具体的には、１のキーが操作された場合、図４（ａ）中の表示画面の左上の領域４１が拡大領域として指定される。同様に、２のキーが操作された場合、図４（ｂ）中の表示画面の中央上の領域４２が拡大領域として指定され、３のキーが操作された場合、図４（ａ）中の表示画面の右上の領域４３が拡大領域として指定され、４のキーが操作された場合、図４（ｃ）中の表示画面の左中央の領域４４が拡大領域として指定され、５のキーが操作された場合、図４（ｄ）中の表示画面の中央の領域４５が拡大領域として指定され、６のキーが操作された場合、図４（ｃ）中の表示画面の右中央の領域４６が拡大領域として指定され、７のキーが操作された場合、図４（ａ）中の表示画面の左下の領域４７が拡大領域として指定され、８のキーが操作された場合、図４（ｂ）中の表示画面の中央下の領域４８が拡大領域として指定され、９のキーが操作された場合、図４（ａ）中の表示画面の右下の領域４９が拡大領域として指定される。
【００４４】
上述したように、図３（ａ）に示す表示画面において、ユーザが１〜９のいずれかのキーを操作することにより拡大領域を指定した場合、制御部１０は、図３（ｂ）に示すような拡大率（拡大処理に係る情報）の指示を促すＯＳＤ画面をＲＯＭ１１から読み出して表示機器２に表示させる。図３（ｂ）に示す表示画面において、ユーザが数字キー３２のうちの２，４，８のいずれかのキーを操作することにより拡大率が指定された場合、制御部１０は、指定された拡大領域及び拡大率に基づく拡大処理を拡大処理回路（拡大手段）２２によって行ない、生成した映像信号を出力部２４から表示機器２へ送出する。
【００４５】
これにより、表示機器２は、図３（ｃ）に示すように、拡大された映像信号に基づく映像を表示させる。図３（ｃ）では、図２（ｂ）に示す表示画面中の左上の領域を拡大領域とし、拡大率を２倍とした拡大処理を行なった場合の表示画面を示している。
【００４６】
このように、拡大領域及び拡大率をそれぞれ数字キー３２に割り当てておくことにより、拡大したい領域及び拡大率をダイレクトに設定することができ、ユーザによるキー操作を簡略化することができる。また、図３（ａ）及び（ｂ）に示すように拡大領域及び拡大率の指定方法を表示機器２に表示させることにより、映像処理装置１の操作が不慣れなユーザであっても容易に拡大処理に係る条件を指定することができる。
【００４７】
以下に、上述した構成の映像処理装置１による映像信号の再生処理及び拡大処理についてより具体的に説明する。図５及び図６は実施形態１に係る映像処理装置１による再生処理の手順を示すフローチャートである。なお、処理手順は一例でありこれに限るものではない。また、以下の処理は、ＲＯＭ１１に予め格納してある制御プログラムに従って制御部１０が実行する。
【００４８】
映像処理装置１において、制御部１０は、ユーザによってリモコン装置３の所定の操作ボタンが操作されることにより、ＨＤＤ２０に記憶してある映像信号の再生処理の実行が要求された場合、ＨＤＤ２０に記憶してある録画番組データベースの登録内容に基づいて、図２（ａ）に示すような録画リストを作成して出力部２４から表示機器２へ送出し、表示機器２に表示させる（Ｓ１）。
【００４９】
次に制御部１０は、リモコンコード解析部２３から入力される制御信号に従って、リモコン装置３のカーソルキー３３のうちの上下キーが操作されたか否かを判断しており（Ｓ２）、上下キーが操作された場合（Ｓ２：ＹＥＳ）、操作されたキーに従って、図２（ａ）中のカーソルを上又は下に移動させて表示する（Ｓ３）。なお、上下キーが操作されなかった場合（Ｓ２：ＮＯ）、制御部１０はステップＳ３の処理をスキップする。
【００５０】
制御部１０は、リモコンコード解析部２３から入力される制御信号に従って、リモコン装置３の再生ボタンが操作されたか否かを判断しており（Ｓ４）、再生ボタンが操作されなかった場合（Ｓ４：ＮＯ）、ステップＳ２へ処理を移行する。また、制御部１０は、再生ボタンが操作された場合（Ｓ４：ＹＥＳ）、選択された映像信号を再生処理部２１によってＨＤＤ２０から読み出して伸長処理を行ない（Ｓ５）、その後、拡大処理回路２２をスルーさせて出力部２４から表示機器２へ送出する（Ｓ６）。これにより、表示機器２は、図２（ｂ）に示すように、映像処理装置１から取得した映像信号に基づく映像を表示することができる。
【００５１】
このように、映像処理装置１がＨＤＤ２０から読み出した映像信号を表示機器２で表示している場合に、制御部１０は、リモコンコード解析部２３から入力される制御信号に従って、リモコン装置３のズームキー３０が操作されたか否かを判断する（Ｓ７）。制御部１０は、ズームキー３０が操作されなかった場合（Ｓ７：ＮＯ）、ステップＳ４で再生処理の実行が指示された映像信号の再生処理の完了又はユーザによる再生処理の停止指示によって、再生処理が終了したか否かを判断し（Ｓ８）、終了していないと判断した場合（Ｓ８：ＮＯ）、ステップＳ５及びＳ６の処理を繰り返す。これにより、制御部１０は、順次ＨＤＤ２０から読み出される映像信号に基づく映像の表示機器２による表示を続行する。なお、制御部１０は、映像信号の再生処理が終了したと判断した場合（Ｓ８：ＹＥＳ）、上述したような各処理を終了する。
【００５２】
一方、制御部１０は、ズームキー３０が操作された場合（Ｓ７：ＹＥＳ）、対応するＯＳＤ表示用データをＲＯＭ１１から読み出して出力部２４から表示機器２へ送出し、図３（ａ）に示すように拡大領域の指示を促すＯＳＤ画面を表示機器２に表示させる（Ｓ９）。ここで、制御部１０は、リモコンコード解析部２３から入力される制御信号に従って、数字キー３２、具体的には１〜９のうちのいずれかのキーが操作されたか否かを判断しており（Ｓ１０）、操作されなかった場合（Ｓ１０：ＮＯ）、拡大領域の指示を促すＯＳＤ画面の表示機器２での表示を続行する（Ｓ９）。
【００５３】
また、制御部１０は、１〜９のうちのいずれかのキーが操作された場合（Ｓ１０：ＹＥＳ）、対応するＯＳＤ表示用データをＲＯＭ１１から読み出して出力部２４から表示機器２へ送出し、図３（ｂ）に示すように拡大率の指示を促すＯＳＤ画面を表示機器２に表示させる（Ｓ１１）。ここで、制御部１０は、リモコンコード解析部２３から入力される制御信号に従って、数字キー３２、具体的には２，４，８のうちのいずれかのキーが操作されたか否かを判断しており（Ｓ１２）、操作されなかった場合（Ｓ１２：ＮＯ）、拡大率の指示を促すＯＳＤ画面の表示機器２での表示を続行する（Ｓ１１）。
【００５４】
制御部１０は、２，４，８のうちのいずれかのキーが操作された場合（Ｓ１２：ＹＥＳ）、ステップＳ５でＨＤＤ２０から読み出された映像信号の読み出しを続行し、読み出した映像信号に伸長処理を行ない（Ｓ１３）、更にステップＳ１０及びＳ１２で入力された拡大領域及び拡大率に基づいて拡大処理回路２２による拡大処理を実行する（Ｓ１４）。制御部１０は、拡大処理を実行した映像信号を出力部２４から表示機器２へ送出し（Ｓ１５）、表示機器２は、図３（ｃ）に示すように、ユーザによって指定された拡大領域をユーザによって指定された拡大率により拡大された映像を表示する。
【００５５】
また、制御部１０は、リモコンコード解析部２３から入力される制御信号に従って、リモコン装置３のズームキー３０が再度操作されたか否かを判断しており（Ｓ１６）、ズームキー３０が操作されなかった場合（Ｓ１６：ＮＯ）、ステップＳ４で再生処理の実行が指示された映像信号の再生処理の完了又はユーザによる再生処理の停止指示によって、再生処理が終了したか否かを判断する（Ｓ１７）。制御部１０は、再生処理が終了していないと判断した場合（Ｓ１７：ＮＯ）、ステップＳ１３〜Ｓ１５の処理を繰り返し、順次ＨＤＤ２０から読み出される映像信号に拡大処理を行ない、拡大した映像信号に基づく映像の表示機器２による表示を続行する。なお、制御部１０は、映像信号の再生処理が終了したと判断した場合（Ｓ１７：ＹＥＳ）、上述したような各処理を終了する。
【００５６】
更に、ステップＳ１６で、ズームキー３０が再度操作された場合（Ｓ１６：ＹＥＳ）、制御部１０は、ステップＳ９に処理を移行し、ステップＳ９〜Ｓ１２の処理を繰り返すことによって拡大処理における拡大領域及び拡大率の再設定を行なうと共に（Ｓ９〜Ｓ１２）、ＨＤＤ２０から読み出した映像信号に伸長処理を行なった上で（Ｓ１３）再設定された拡大領域及び拡大率に基づいて拡大処理回路２２によって拡大処理を実行し（Ｓ１４）、拡大処理が実行された映像信号を出力部２４から表示機器２へ送出する（Ｓ１５）。
【００５７】
これにより、映像処理装置１は、ＨＤＤ２０に記憶してある映像信号に基づく映像を表示機器２に表示させると共に、表示機器２で表示中の映像信号に対して行なうべく再度受け付けた拡大領域及び拡大率に基づいて映像信号に拡大処理を行なうことができ、拡大した映像信号に基づく映像を表示機器２に表示させることができる。
【００５８】
また、図３（ｃ）に示すように拡大された映像が表示機器２に表示されている状態において、リモコン装置３のカーソルキー３３が操作された場合、映像処理装置１の制御部１０は、表示機器２に表示させた映像を、操作されたカーソルキー３３が示す方向に所定距離だけ移動させるように構成することもできる。従って、表示機器２に表示された拡大映像の中心位置を、カーソルキー３３を用いて微調整することができ、これにより、拡大領域をより詳細に指定することができる。
【００５９】
（実施形態２）
以下に、実施形態２に係る映像処理装置について説明する。なお、本実施形態２の映像処理装置は、上述した実施形態１の映像処理装置１と同様の構成によって実現できるため、映像処理装置の構成については説明を省略する。
【００６０】
本実施形態２の映像処理装置１は、上述した実施形態１の映像処理装置１と同様に、ＨＤＤ２０に記憶してある映像信号を出力部２４から出力し、表示機器２で表示している場合に、表示画面の一部を拡大して表示させることが可能に構成されている。なお、本実施形態２の映像処理装置１は、図７に示すような登録テーブルをＲＡＭ（記憶手段）１２に記憶している。登録テーブルには、登録キー（操作スイッチ）、ここでは、数字キー３２のうちの１０，１１，１２に、拡大領域及び拡大率が対応させて登録してある。なお、登録テーブルの登録内容は、ユーザによる操作部１６又はリモコン装置３の操作に従って、映像処理装置１が備える各キーに拡大処理に係る拡大領域及び拡大率を登録する登録処理を行なった場合に、制御部１０の処理によって更新される。
【００６１】
以下に、映像処理装置１が備える各キーに拡大処理に係る拡大領域及び拡大率を登録する登録処理について説明する。ユーザが、リモコン装置３のズームキー３０を操作した後にメニューキー３１を操作した場合、映像処理装置１の制御部１０は、対応するメニュー画像データをＲＯＭ１１から読み出して出力部２４を介して表示機器２へ送出し、図８（ａ）に示すような登録画面を表示機器２に表示させる。
【００６２】
この登録画面は、登録キー、拡大領域及び拡大率をそれぞれ選択するように構成してある。ここでは、登録キーとして１〜１２の数字キー３２のそれぞれを選択できるようにしてあり、拡大領域として上述の実施形態１で説明したように表示画面中の左上、中央上、右上、左中央、中央、右中央、左下、中央下、右下のそれぞれを選択できるようにしてあり、拡大率として２，４，８倍のそれぞれを選択できるようにしてある。
【００６３】
上述した登録画面において、リモコンコード解析部２３は、ユーザによってリモコン装置３のカーソルキー３３が操作された場合、登録キー、拡大領域及び拡大率のそれぞれの選択項目を選択し、ユーザによって決定ボタンが操作された場合、登録キーのそれぞれに対応して拡大領域及び拡大率を受け付ける情報受付手段として動作する。また、制御部１０は、リモコン装置３を介してそれぞれ選択された項目を対応付けて登録テーブルに登録する。制御部１０は、登録テーブルへの登録処理が完了した場合、図８（ｂ）に示すようなメニュー画像データをＲＯＭ１１から読み出して出力部２４を介して表示機器２へ送出し、表示機器２に表示させてユーザに登録内容の確認を促す。
【００６４】
以下に、上述したように数字キー３２に拡大処理に係る拡大領域及び拡大率が登録された映像処理装置１による映像信号の再生処理及び拡大処理について説明する。上述した実施形態１と同様に、図２（ａ）に示す録画リストにおいて、ユーザが所望の映像信号を選択して再生ボタンを操作し、映像処理装置１のＨＤＤ２０に記録してある映像信号の再生処理の実行が指示された場合、制御部１０は、再生処理部２１によってＨＤＤ２０から対応する映像信号を読み出して復号化伸長した後、拡大処理回路２２へ出力する。これにより、出力部２４から表示機器２へ送出された映像信号に基づいて、表示機器２は、図２（ｂ）に示すような映像を表示する。
【００６５】
このように、ＨＤＤ２０から読み出された映像信号が表示機器２で表示されている場合に、リモコンコード解析部２３は、表示中の映像信号に対して拡大処理の実行指示を受け付けるか否かを監視する。具体的には、リモコンコード解析部２３は、リモコン装置３のズームキー３０が操作されたか否かを監視しており、ズームキー３０が操作された場合、制御部１０は、ＲＯＭ１１から対応するＯＳＤ表示用データを読み出して表示機器２へ送出し、図８（ｃ）に示すように、映像信号に基づく映像に、登録キーの操作を促すＯＳＤ画面を重畳させて表示させる。
【００６６】
図８（ｃ）に示す表示画面において、ユーザが１０，１１，１２のいずれかの数字キー３２を操作した場合、制御部１０は、操作された登録キーに対応する拡大領域及び拡大率を登録テーブルから読み出し、読み出した拡大領域及び拡大率に基づく拡大処理を拡大処理回路２２によって実行し、生成した映像信号を出力部２４から表示機器２へ送出する。これにより、表示機器２は、図３（ｃ）に示すように、拡大された映像信号に基づく映像を表示する。
【００６７】
このように、ユーザが所望するキーに、所望する拡大領域及び拡大率を対応させて登録しておくことにより、表示機器２に表示中の映像信号に拡大処理を行なう場合に、登録しておいたキーを操作することのみにより、拡大処理における拡大領域及び拡大率をダイレクトに指定することができ、より少ないキー操作によって拡大処理に係る情報の設定を行なうことができる。特に、表示画面中の所定領域を所定倍率に拡大して表示させる頻度が多いユーザにおいて有用である。
【００６８】
以下に、本実施形態２の映像処理装置１において、映像処理装置１が備える各キーに拡大処理に係る情報を登録する登録処理についてより具体的に説明する。図９は実施形態２に係る映像処理装置１による登録処理の手順を示すフローチャートである。なお、処理手順は一例でありこれに限るものではない。また、以下の処理は、ＲＯＭ１１に予め格納してある制御プログラムに従って制御部１０が実行する。
【００６９】
映像処理装置１において、制御部１０は、ユーザによってリモコン装置３のズームキー３０が操作された後にメニューキー３１が操作された場合、対応するメニュー画像データをＲＯＭ１１から読み出して出力部２４を介して表示機器２へ送出し、図８（ａ）に示すような登録画面を表示機器２に表示させる（Ｓ２１）。
【００７０】
次に制御部１０は、リモコンコード解析部２３から入力される制御信号に従って、リモコン装置３のカーソルキー３３が操作されたか否かを判断しており（Ｓ２２）、カーソルキー３３が操作された場合（Ｓ２２：ＹＥＳ）、操作されたキーに従って、図８（ａ）中のカーソルを上下左右に移動させてそれぞれの登録項目を選択する（Ｓ２３）。なお、カーソルキー３３が操作されなかった場合（Ｓ２２：ＮＯ）、制御部１０はステップＳ２３の処理をスキップする。
【００７１】
また、制御部１０は、リモコンコード解析部２３から入力される制御信号に従って、リモコン装置３の決定ボタンが操作されたか否かを判断しており（Ｓ２４）、決定ボタンが操作されなかった場合（Ｓ２４：ＮＯ）、ステップＳ２２へ処理を移行する。また、制御部１０は、決定ボタンが操作された場合（Ｓ２４：ＹＥＳ）、それぞれ選択された登録項目を対応させて登録テーブルに記憶させる（Ｓ２５）。制御部１０は、登録テーブルへの記憶処理が完了した場合、対応するメニュー画像データをＲＯＭ１１から読み出して出力部２４を介して表示機器２へ送出し、図８（ｂ）に示すような登録画面を表示機器２に表示させてユーザに通知する（Ｓ２６）。
【００７２】
以下に、上述したようにユーザが所望するキーに拡大処理に係る拡大領域及び拡大率を登録された映像処理装置１による映像信号の再生処理及び拡大処理についてより具体的に説明する。図１０は実施形態２に係る映像処理装置１による再生処理の手順を示すフローチャートである。なお、処理手順は一例でありこれに限るものではない。また、以下の処理は、ＲＯＭ１１に予め格納してある制御プログラムに従って制御部１０が実行する。
【００７３】
映像処理装置１において、制御部１０は、リモコン装置３の所定の操作ボタンが操作されることにより、ＨＤＤ２０に記憶してある映像信号の再生処理の実行が要求された場合、ＨＤＤ２０に記憶してある録画番組データベースの登録内容に基づいて、図２（ａ）に示すような録画リストを作成して出力部２４から表示機器２へ送出し、表示機器２に表示させる（Ｓ３１）。
【００７４】
また、制御部１０は、録画リストにおいて図５中のステップＳ２〜Ｓ４と同様の処理を行なうことにより、再生すべき映像信号が選択されたか否かを判断しており（Ｓ３２）、選択されないと判断した場合（Ｓ３２：ＮＯ）、録画リストの表示を続行する（Ｓ３１）。制御部１０は、再生すべき映像信号が選択されたと判断した場合（Ｓ３２：ＹＥＳ）、選択された映像信号を再生処理部２１によってＨＤＤ２０から読み出して伸長処理を行ない（Ｓ３３）、その後、拡大処理回路２２をスルーさせて出力部２４から表示機器２へ送出する（Ｓ３４）。これにより、表示機器２は、図２（ｂ）に示すように、映像処理装置１から取得した映像信号に基づく映像を表示する。
【００７５】
このように、映像処理装置１がＨＤＤ２０から読み出した映像信号を表示機器２で表示している場合に、制御部１０は、リモコンコード解析部２３から入力される制御信号に従って、リモコン装置３のズームキー３０が操作されたか否かを判断する（Ｓ３５）。制御部１０は、ズームキー３０が操作されなかった場合（Ｓ３５：ＮＯ）、ステップＳ３２で再生処理を行なうべく選択された映像信号の再生処理の完了又はユーザによる再生処理の停止指示によって、再生処理が終了したか否かを判断し（Ｓ３６）、終了していないと判断した場合（Ｓ３６：ＮＯ）、ステップＳ３３及びＳ３４の処理を繰り返す。これにより、制御部１０は、順次ＨＤＤ２０から読み出される映像信号に基づく映像の表示機器２による表示を続行する。なお、制御部１０は、映像信号の再生処理が終了したと判断した場合（Ｓ３６：ＹＥＳ）、上述したような各処理を終了する。
【００７６】
一方、制御部１０は、ズームキー３０が操作された場合（Ｓ３５：ＹＥＳ）、対応するＯＳＤ表示用データをＲＯＭ１１から読み出して出力部２４から表示機器２へ送出し、図８（ｃ）に示すように登録キーの操作を促すＯＳＤ画面を表示機器２に表示させる（Ｓ３７）。ここで、制御部１０は、リモコンコード解析部２３から入力される制御信号に従って、登録キー、例えば数字キー３２のうちの１０，１１，１２のキーのいずれかが操作されたか否かを判断しており（Ｓ３８）、操作されなかった場合（Ｓ３８：ＮＯ）、拡大領域の指示を促すＯＳＤ画面の表示機器２での表示を続行する（Ｓ３７）。
【００７７】
また、制御部１０は、いずれかの登録キーが操作された場合（Ｓ３８：ＹＥＳ）、操作された登録キーに対応する拡大領域及び拡大率を登録テーブルから読み出す（Ｓ３９）。更に制御部１０は、ステップＳ３３でＨＤＤ２０から読み出された映像信号の読み出しを続行し、読み出した映像信号に伸長処理を行ない（Ｓ４０）、ステップＳ３９で登録テーブルから読み出した拡大領域及び拡大率に基づいて拡大処理回路２２による拡大処理を実行する（Ｓ４１）。そして、制御部１０は、拡大処理を実行した映像信号を出力部２４から表示機器２へ送出し（Ｓ４２）、表示機器２は、図３（ｃ）に示すように、ユーザによって指定された拡大領域をユーザによって指定された拡大率により拡大された映像を表示する。
【００７８】
また、制御部１０は、リモコンコード解析部２３から入力される制御信号に従って、リモコン装置３のズームキー３０が再度操作されたか否かを判断しており（Ｓ４３）、ズームキー３０が操作されなかった場合（Ｓ４３：ＮＯ）、ステップＳ３２で再生処理を行なうべく選択された映像信号の再生処理の完了又はユーザによる再生処理の停止指示によって、再生処理が終了したか否かを判断し（Ｓ４４）、終了していないと判断した場合（Ｓ４４：ＮＯ）、ステップＳ４０〜Ｓ４２の処理を繰り返す。これにより、制御部１０は、順次ＨＤＤ２０から読み出される映像信号に拡大処理を行ない、拡大した映像信号に基づく映像の表示機器２による表示を続行する。なお、制御部１０は、映像信号の再生処理が終了したと判断した場合（Ｓ４４：ＹＥＳ）、上述したような各処理を終了する。
【００７９】
更に、制御部１０は、ステップＳ４３で、ズームキー３０が再度操作された場合（Ｓ４３：ＹＥＳ）、ステップＳ３７に処理を移行し、再度登録キーが操作されることによって拡大処理における拡大領域及び拡大率の読み出しを再度行なうと共に（Ｓ３９）、ＨＤＤ２０から読み出した映像信号に伸長処理を行なった上で（Ｓ４０）、再度読み出した拡大領域及び拡大率に基づいて拡大処理回路２２によって拡大処理を実行し（Ｓ４１）、拡大処理が実行された映像信号を出力部２４から表示機器２へ送出する（Ｓ４２）。
【００８０】
これにより、映像処理装置１は、ＨＤＤ２０に記憶してある映像信号に基づく映像を表示機器２に表示させると共に、表示機器２で表示中の映像信号に対して行なうべき拡大処理に係る拡大領域及び拡大率をユーザによる登録キーの操作によって再度受け付けることができ、受け付けた拡大領域及び拡大率に基づいて拡大した映像信号に基づく映像を表示機器２に表示させることができる。
【００８１】
上述した実施形態１では、拡大領域の指定を促す画面及び拡大率の指定を促す画面を順に表示機器２に表示させることにより、ユーザによる数字キー３２の操作によって拡大領域及び拡大率をそれぞれ受け付ける構成について説明し、実施形態２では、予め１組の拡大領域及び拡大率毎にキーを登録しておき、ユーザによる登録キーの操作によって拡大領域及び拡大率をそれぞれ受け付ける構成について説明したが、両方の構成を備えてもよい。
【００８２】
具体的には、例えば、表示機器２による映像信号の表示中にユーザがリモコン装置３のズームキー３０を操作することによって図３（ａ）に示すＯＳＤ画面が表示されている状態で、ユーザが更に数字キー３２の１〜９の各キーを操作した場合には、実施形態１と同様に拡大領域を指定するように、一方、数字キー３２の１０，１１，１２の各キーを操作した場合には、実施形態２と同様に拡大領域及び拡大率が登録された登録キーを操作するように構成することもできる。
【００８３】
また、上述した実施形態では、指定できる拡大率を２，４，８倍として説明したが、これらに限定されるものではなく、例えば、１倍の拡大率の指定を可能に構成した場合には、拡大処理が行なわれていない元の映像の表示を行なうことができる。なお、拡大された映像の表示を終了して元の映像の表示を行なうためのズームキャンセルボタンを映像処理装置１に設けてもよい。更に、上述した実施形態の映像処理装置１は、ユーザによって拡大処理に係る拡大領域及び拡大率を共に指定する構成を例としてが、拡大領域及び拡大率の一方を予め設定してある値とし、他方をユーザによって指定する構成としてもよい。
【００８４】
上述した映像処理装置１は、拡大領域及び拡大率の指定方法をＯＳＤ画面によって表示機器２に表示させる構成としたが、ＰＩＰ（Picture In Picture）画面を用いて、表示領域の一部に子画面として表示させるようにしてもよい。また、上述した各実施形態では、記録媒体としてＨＤＤを内蔵した映像処理装置１を例として説明したが、ＶＣＲ、ＤＶＤレコーダ等を備える構成でもよく、例えばＤＶＤマルチドライブ等の記録装置を、映像処理装置１に内蔵したり、映像処理装置１に接続したりしてもよい。このようにすれば、ＨＤＤ２０に記録したＭＰＥＧ形式の映像データを読出し、光ディスクに記録することができるため、ＨＤＤ２０の記憶容量が少なくなった場合に有用である。
【図面の簡単な説明】
【００８５】
【図１】本発明に係る映像処理装置の構成例を示すブロック図である。
【図２】表示画面例を示す模式図である。
【図３】表示画面例を示す模式図である。
【図４】数字キーと拡大領域との対応を示す模式図である。
【図５】実施形態１に係る映像処理装置による再生処理の手順を示すフローチャートである。
【図６】実施形態１に係る映像処理装置による再生処理の手順を示すフローチャートである。
【図７】登録テーブルの構成例を示す模式図である。
【図８】表示画面例を示す模式図である。
【図９】実施形態２に係る映像処理装置による登録処理の手順を示すフローチャートである。
【図１０】実施形態２に係る映像処理装置による再生処理の手順を示すフローチャートである。
【符号の説明】
【００８６】
１  映像処理装置
１２  ＲＡＭ（記憶手段）
２２  拡大処理回路（拡大手段）
２３  リモコンコード解析部（受付手段、情報受付手段）
２４  出力部（表示処理手段）
３  リモコン装置
３２  数字キー（操作スイッチ）
【図１】
2006113400.tif 000003
【図２】
2006113400.tif 000004
【図３】
2006113400.tif 000005
【図４】
2006113400.tif 000006
【図５】
2006113400.tif 000007
【図６】
2006113400.tif 000008
【図７】
2006113400.tif 000009
【図８】
2006113400.tif 000010
【図９】
2006113400.tif 000011
【図１０】
2006113400.tif 000012